(57)【特許請求の範囲】
【請求項１】
各種テレビ放送信号を受信する受信アンテナと、
前記受信アンテナからの受信信号の中から、予め設定された放送チャンネルのデジタルテレビ放送信号を選局して、映像及び音声信号を復調するデジタルチューナからなる複数の受信手段と、
該各受信手段にて復調された映像及び音声信号を、夫々、予め設定された伝送チャンネルのアナログテレビ放送信号に変換する複数の変換手段と、
前記各受信手段が選局するデジタルテレビ放送信号の放送チャンネルの変更指令を、外部操作によって入力するための選局チャンネル設定手段と、
を備え、前記各変換手段から出力されるアナログテレビ放送信号を含む多数のテレビ放送信号をＣＡＴＶシステムの伝送線上に送出するヘッドエンド装置であって、
前記選局チャンネル設定手段は、
外部操作に従い前記放送チャンネル変更用の指令信号を無線にて送信する遠隔操作用の送信部であるリモコン装置と、
前記リモコン装置から送信された指令信号を受信する受信部である受光部と、
から構成されており、
当該ヘッドエンド装置には、更に、
前記選局チャンネル設定手段の受光部にて受信された放送チャンネル変更用の指令信号を、前記複数の受信手段の何れかに選択的に出力する信号経路切換スイッチと、
外部操作によって前記複数の受信手段の中から前記放送チャンネルの変更対象となる受信手段を選択するための選択ボタン、及び、外部操作によりオン／オフ状態が切り換えられるロックボタンが設けられた入力パネルと、
前記ロックボタンがオフ状態であるとき、前記選局チャンネル設定手段の受光部にて受信された放送チャンネル変更用の指令信号が前記選択ボタンにより選択された受信手段に入力されるように前記信号経路切換スイッチを駆動し、前記ロックボタンがオン状態であるとき、前記選局チャンネル設定手段の受光部にて受信された放送チャンネル変更用の指令信号がいずれの受信手段にも入力されないように前記信号経路切換スイッチを駆動するチャンネルロック手段と、
を備えたことを特徴とするヘッドエンド装置。
【請求項２】
前記各変換手段が出力するテレビ放送信号の伝送チャンネルを、夫々、外部操作によって設定するための伝送チャンネル設定手段を備え、
前記チャンネルロック手段は、前記ロックボタンがオン状態であるとき、前記伝送チャンネル設定手段からの前記伝送チャンネルの設定指令の入力を禁止することを特徴とする請求項１に記載のヘッドエンド装置。
【請求項３】
請求項１又は請求項２に記載のヘッドエンド装置を備え、該ヘッドエンド装置から伝送線上に送出された多数のテレビ放送信号を、該伝送線を介して複数の端末まで伝送することを特徴とするＣＡＴＶシステム。
【発明の詳細な説明】
【０００１】
【発明の属する技術分野】
本発明は、受信アンテナにて受信された各種テレビ放送信号を所定のチャンネル配列に変換してＣＡＴＶシステムの伝送線上に送出するヘッドエンド装置、及び、このヘッドエンド装置を備えたＣＡＴＶシステムに関する。
【０００２】
【従来の技術】
従来より、テレビ放送としては、地上局を利用した地上波放送、放送衛星（ＢＳ）を利用したＢＳ放送、通信衛星（ＣＳ）を利用したＣＳ放送等が知られている。そして、これらのテレビ放送を再送信するＣＡＴＶシステムにおいては、ヘッドエンド装置側で、各放送電波を受信し、その受信信号をそのまま周波数変換したり、或いは、受信信号に含まれるテレビ放送信号を個々に周波数変換することにより、複数のテレビ放送信号を、ＣＡＴＶシステムで伝送可能な周波数帯域内に納め、伝送線上に送出するようにしている。
【０００３】
ところで、近年、ＢＳ放送では、従来より行われていたＢＳアナログ放送に加えて、ＢＳデジタル放送が開始された。そして、ＣＡＴＶシステムにおいて、このＢＳデジタル放送の受信信号を、従来と同様にそのまま（若しくは周波数変換しただけで）伝送線に送出するようにすると、ＢＳアナログ放送等の他の受信信号を伝送できなくなることがあった。また、ＢＳデジタル放送を受信アンテナにて受信した信号形態でそのまま伝送すると、端末側でＢＳデジタル放送を視聴する際に、ＢＳデジタル放送専用の受信機が必要になる。
【０００４】
そこで、従来より、こうしたＢＳデジタル放送をＣＡＴＶシステムで再送信する方法の一つとして、ヘッドエンド装置側で、ＢＳデジタル放送専用の複数の受信機を用いて、各々異なる放送チャンネルのデジタルテレビ放送信号を選局・復調し、更に、その復調した映像及び音声信号を、夫々、変調器を用いて、所定伝送チャンネルのアナログテレビ放送信号（日本国内の場合、ＮＴＳＣ方式のテレビ放送信号）に変換し、その変換後のテレビ放送信号を伝送線上に送出する方法が考えられている。
【０００５】
つまり、このようにすれば、ＣＡＴＶシステムでは、ＢＳデジタル放送で提供される各放送チャンネルの映像及び音声信号を、地上波放送と同じ周波数帯（ＶＨＦ若しくはＵＨＦ帯）のアナログテレビ放送信号として伝送できることになり、しかも、端末側では、一般的なテレビ受像器を用いて、ＢＳデジタル放送を視聴できることになる。
【０００６】
【発明が解決しようとする課題】
ところで、上記のように、ヘッドエンド装置に、テレビ放送信号を選局・復調する複数の受信機（所謂チューナ）を設けた場合、各受信機が選局・復調するテレビ放送信号の放送チャンネルは、受信機の操作部を操作することにより設定することになるが、ヘッドエンド装置の保守点検等の際に、作業者がその操作部を誤って操作してしまうことがある。
【０００７】
そして、このような場合には、誤操作された受信機の選局チャンネルが変化して、端末側で視聴若しくは録画している放送番組が変わってしまうとか、受信機によりテレビ放送信号を選局・復調できなくなって、端末側にテレビ放送信号を送信できなくなる、といった問題があった。
【０００８】
特に、受信機に、遠隔操作用のリモートコントロール装置（以下、リモコン装置という）が付属しており、受信機の選局チャンネルの設定等を、そのリモコン装置を用いて行うようにしたヘッドエンド装置では、その設定をリモコン装置を用いて簡単に行うことができるものの、リモコン装置は誤操作され易いことから、上記問題が発生し易くなる。
【０００９】
本発明は、こうした問題に鑑みなされたものであり、ヘッドエンド装置側でテレビ放送信号を一旦選局・復調し、その復調した映像及び音声信号を所定伝送チャンネルのテレビ放送信号に変換するように構成されたＣＡＴＶシステムにおいて、テレビ放送信号の選局チャンネルが誤って変更されるのを防止することを目的とする。
【００１０】
【課題を解決するための手段】
かかる目的を達成するためになされた請求項１に記載の発明は、
各種テレビ放送信号を受信する受信アンテナと、
前記受信アンテナからの受信信号の中から、予め設定された放送チャンネルのデジタルテレビ放送信号を選局して、映像及び音声信号を復調するデジタルチューナからなる複数の受信手段と、
該各受信手段にて復調された映像及び音声信号を、夫々、予め設定された伝送チャンネルのアナログテレビ放送信号に変換する複数の変換手段と、
前記各受信手段が選局するデジタルテレビ放送信号の放送チャンネルの変更指令を、外部操作によって入力するための選局チャンネル設定手段と、
を備え、前記各変換手段から出力されるアナログテレビ放送信号を含む多数のテレビ放送信号をＣＡＴＶシステムの伝送線上に送出するヘッドエンド装置であって、
前記選局チャンネル設定手段は、
外部操作に従い前記放送チャンネル変更用の指令信号を無線にて送信する遠隔操作用の送信部であるリモコン装置と、
前記リモコン装置から送信された指令信号を受信する受信部である受光部と、
から構成されており、
当該ヘッドエンド装置には、更に、
前記選局チャンネル設定手段の受光部にて受信された放送チャンネル変更用の指令信号を、前記複数の受信手段の何れかに選択的に出力する信号経路切換スイッチと、
外部操作によって前記複数の受信手段の中から前記放送チャンネルの変更対象となる受信手段を選択するための選択ボタン、及び、外部操作によりオン／オフ状態が切り換えられるロックボタンが設けられた入力パネルと、
前記ロックボタンがオフ状態であるとき、前記選局チャンネル設定手段の受光部にて受信された放送チャンネル変更用の指令信号が前記選択ボタンにより選択された受信手段に入力されるように前記信号経路切換スイッチを駆動し、前記ロックボタンがオン状態であるとき、前記選局チャンネル設定手段の受光部にて受信された放送チャンネル変更用の指令信号がいずれの受信手段にも入力されないように前記信号経路切換スイッチを駆動するチャンネルロック手段と、
を備えたことを特徴とする。
【００１１】
このように構成された本発明のヘッドエンド装置によれば、作業者が、入力パネルに設けられたロックボタンをオン状態にしておけば、遠隔操作用の送信部であるリモコン装置（詳しくはリモートコントロール装置）から送信された放送チャンネル変更用の指令信号が、いずれの受信手段にも入力されないようになり、その状態で作業者がリモコン装置を誤って操作したとしても、放送チャンネル変更用の指令信号が受信手段に入力されて、受信手段の放送チャンネルが変更されることはない。このため、誤放送という事故を防ぐことができる。
特に、リモコン装置はどこにでも置くことができることから、人や物がリモコン装置のチャンネルスイッチに誤って触れてしまう可能性が高くなるが、本発明では、入力パネルに設けられたロックボタンをオン状態にしておけば、モコン装置から送信された放送チャンネル変更用の指令信号が受光部にて受信されても、その指令信号が信号経路切換スイッチを介して受信手段に入力されるのを防止できることから、上記効果を有効に発揮することができる。
【００１２】
また、本発明のヘッドエンド装置においては、各受信手段が、デジタルテレビ放送を選局して映像及び音声信号を復調するデジタルチューナにて構成されており、各変換手段が、該映像及び音声信号をアナログテレビ放送に変換する。
従って、このヘッドエンド装置を用いれば、ＢＳデジタル放送等のデジタルテレビ放送を、地上波放送と同様のアナログテレビ放送信号として、端末側に伝送できることになり、従来技術の項にて説明したＣＡＴＶシステムを容易に構築できる。
【００１６】
ところで、従来のヘッドエンド装置では、変換手段での伝送チャンネルを外部操作による伝送チャネルの設定指令により変更できるようにしているものもあり、この伝送チャンネルの設定手段で誤操作により意図しない伝送チャンネルに変わってしまうと、放送中の番組が見れなくなってしまうという問題が発生する。このため、伝送チャンネルの設定指令が変換手段に入力されるのを禁止する手段も考えられている。また、伝送チャンネルを変更する時期も、選局チャンネルを変更する時期と同様、システムの初期設定、システムの変更、若しくは、メンテナンス時であり、チャンネル設定機能の不使用時期は、ほぼ同じであるため、選局及び伝送チャンネルの設定指令の入力の禁止／解除の操作を共通としても問題無い。
【００１７】
これに対し、請求項２に記載のヘッドエンド装置においては、各変換手段が出力するテレビ放送信号の伝送チャンネルを、夫々、外部操作によって設定するための伝送チャンネル設定手段を備え、チャンネルロック手段は、入力パネルに設けられたロックボタンがオン状態であるとき、その伝送チャンネル設定手段からの伝送チャンネルの設定指令の入力を禁止するように構成されている。
【００１８】
この結果、本発明（請求項２）のヘッドエンド装置によれば、選局および伝送チャンネル設定手段に対する外部からのチャンネルロック指令が、一回の指令で済み、操作性を良くでき、指令の出し忘れの可能性も低くできる。また、チャンネルロック指令の入力用のボタンなどの入力機器も一つ省略でき、装置の構成の簡略化をすることができる。
【００１９】
一方、請求項３に記載の発明は、上述した本発明（請求項１又は請求項２）のヘッドエンド装置を用いて構築されるＣＡＴＶシステムに関するものであり、このＣＡＴＶシステムにおいては、ヘッドエンド装置から伝送線上に送出された多数の放送信号を、伝送線を介して複数の端末まで伝送する。
【００２０】
従って、このＣＡＴＶシステムによれば、誤放送が少なく信頼性が良いＣＡＴＶシステムとすることができる。
【００２１】
【発明の実施の形態】
以下に本発明の実施例を図面と共に説明する。
図１は、本発明が適用された実施例のＣＡＴＶシステム全体の構成を表す構成図である。
【００２２】
図１に示すように、本実施例のＣＡＴＶシステムは、ＶＨＦテレビ放送（アナログ）を行う地上局からの放送電波を受信するＶＨＦアンテナ２、ＵＨＦテレビ放送（アナログ放送）を行う地上局からの放送電波を受信するＵＨＦアンテナ４、ＣＳ放送用の通信衛星（ＣＳ）からの放送電波を受信し、その受信信号を所定の中間周波数帯のＣＳ受信信号に周波数変換して出力するＣＳアンテナ６、及び、ＢＳデジタル放送を行う放送衛星（ＢＳ）からの放送電波を受信し、その受信信号を所定の中間周波数帯のＢＳ受信信号に周波数変換して出力するＢＳアンテナ８を備えたヘッドエンド装置１０と、ヘッドエンド装置１０から送出される多数のテレビ放送信号を端末側に伝送する伝送線（同軸ケーブル）Ｌと、伝送線Ｌ上に設けられて伝送線Ｌを流れる伝送信号（ヘッドエンド装置１０から送出されたテレビ放送信号等）を増幅する増幅器１４，１６と、分岐或いは分配用の各種伝送機器（図示せず）とから構成されている。
【００２３】
ここで、ヘッドエンド装置１０においては、ＶＨＦアンテナ２、ＵＨＦアンテナ４、及びＣＳアンテナ６からの受信信号については、そのまま、若しくは、伝送用の周波数帯に周波数変換した後、送出装置１２から伝送線Ｌ上に送出し、ＢＳアンテナ８からのＢＳ受信信号については、ユニット１〜ユニットｎからなるｎ個の復変調部２０において、各放送チャンネル毎に選局・復調することにより一旦映像及び音声信号に戻し、更に、その映像及び音声信号を再度変調することにより、ＶＨＦ・ＵＨＦの地上波放送と同じＮＴＳＣ方式で所定伝送チャンネルのアナログテレビ放送信号を生成し、その生成したテレビ放送信号を、他のテレビ放送信号と一緒に、送出装置１２から伝送線Ｌ上に送出するようにされている。
【００２４】
即ち、ヘッドエンド装置１０には、ＢＳアンテナ８からのＢＳ受信信号をｎ個に分配する分配器１１が設けられており、この分配器１１にて分配されたｎ個のＢＳ受信信号を、夫々、ユニット１〜ユニットｎからなるｎ個の復変調部２０に入力するようにされている。
【００２５】
また、各復変調部２０には、分配器１１を介して入力されるＢＳ受信信号の中から、予め設定された放送チャンネルのテレビ放送信号（デジタルテレビ放送信号）を選局し、そのテレビ放送信号に含まれる映像及び音声信号を復調する、本発明の受信手段としてのＢＳデジタル受信機２２と、ＢＳデジタル受信機２２で復調された映像及び音声信号を、所定伝送チャンネルのテレビ放送信号（ＮＴＳＣ方式のアナログテレビ放送）に変換する、本発明の変換手段としての変調器２４とが設けられている。
【００２６】
そして、この変調器２４にて生成されたテレビ放送信号は、送出装置１２に出力され、送出装置１２にて他のテレビ放送信号と混合されて、伝送線Ｌ上に送出される。
一方、各復変調部２０に設けられたＢＳデジタル受信機２２には、ヘッドエンド装置１０のコストを抑えるために、システム専用（所謂業務用）の受信機ではなく、市販（所謂民生用）の受信機（所謂ＢＳデジタルチューナ）が用いられている。そして、各ＢＳデジタル受信機２２は、その受信機に付属している遠隔操作用のリモートコントロール装置（以下、リモコン装置という）３２を用いて、選局チャンネルを設定できるようにされている。
【００２７】
即ち、ヘッドエンド装置１０には、リモコン装置３２を操作することによりリモコン装置３２から無線送信される各種指令信号（本実施例では赤外線信号）を受信する受光部３３と、この受光部３３が受信したリモコン装置３２からの指令信号を、ユニット１〜ユニットｎからなるｎ個の復変調部２０の何れかに設けられた一つのＢＳデジタル受信機２２に選択的に出力する信号経路切換スイッチ３７と、この信号経路切換スイッチ３７を介して指令信号を選択的に出力するＢＳデジタル受信機２２（換言すれば復変調部２０）を指定するための入力パネル５０と、入力パネル５０を介して指定された復変調部２０に応じて、信号経路切換スイッチ３７での指令信号の出力先を自動で切り換えるマイクロコンピュータ（以下、マイコンという）３０とが設けられている。
【００２８】
このため、本実施例のヘッドエンド装置１０においては、作業者が入力パネル５０を操作して選局チャンネルを設定したいＢＳデジタル受信機２２を指定すれば、マイコン３０が、その指定されたＢＳデジタル受信機２２に受光部３３からの指令信号が入力されるように、信号経路切換スイッチ３７を駆動し、更に、作業者がリモコン装置３２を操作してＢＳデジタル受信機２２の選局チャンネルを指定すれば、信号経路切換スイッチ３７を介して、使用者が指定した特定のＢＳデジタル受信機２２に選局チャンネル設定用の指令信号が入力されることになる。
【００２９】
よって、本実施例のヘッドエンド装置１０によれば、ユニット１〜ユニットｎの各復変調部２０に設けられたＢＳデジタル受信機２２が選局・復調するＢＳデジタル放送の選局チャンネルを、リモコン操作によって極めて簡単に設定できるようになるのである。
【００３０】
また、入力パネル５０は、選局チャンネルの設定対象となるＢＳデジタル受信機２２（換言すれば復変調部２０）を指定できるだけでなく、各復変調部２０に設けられた変調器２４が生成するテレビ放送信号の伝送チャンネルも指定できるようにされている。
【００３１】
つまり、入力パネル５０には、図２に示すように、各復変調部２０を表すユニット番号（ユニット１〜ユニットｎ）が記載されており、その記載された各ユニット番号毎に、ユニット番号に対応した復変調部２０を操作対象として選択するための選択ボタン５１、その復変調部２０が操作対象として選択されているか否かを表示するための選択ランプ５２、その復変調部２０（詳しくは変調器２４）から出力されるテレビ放送信号の伝送チャンネルを表示する伝送チャンネル表示部５３、その伝送チャンネルの上側への変更指令を入力するためのＵＰボタン５４、同じく伝送チャンネルの下側への変更指令を入力するためのＤＯＷＮボタン５５、その復変調部２０のＢＳデジタル受信機２２が選局中の放送チャンネル（ＢＳデジタル放送のチャンネル）を表示する選局チャンネル表示部５６、選択ボタン５１とＵＰボタン５４とＤＯＷＮボタン５５との操作の可否及び選択ボタン５１の操作の可否の状態を変える入力となる、ランプを内蔵したロックボタン５７が配置されている。尚、入力パネル５０に配置された各ボタンは、スイッチの機能を持ち、一端が電源に接続され、もう一端がマイコン３０のボタン毎の入力ポートへ接続される。そして、各々のボタンが押されるとマイコン３０の対応する入力ポートに電源電圧が印加され、マイコン３０で、押されたボタンが検知される。
【００３２】
そして、マイコン３０は、入力パネル５０のいずれかのボタンが押されたことを検知すると、割込処理として、詳細は後述する図３のフローチャートのボタン操作受付処理を実施して、押されたボタンに応じた動作をする。尚、マイコン３０では、選択ボタン５１の操作によってユニット１〜ユニットｎの何れかが選択されると、その選択されたユニット番号に対応する復変調部２０を、ＣＨ設定対象ユニット（ＣＨはチャンネルを表す）として、そのＣＨ設定対象ユニットの選択ランプ５２を点灯（他のユニットの選択ランプ５２は消灯）すると共に、そのＣＨ設定対象ユニットのＢＳデジタル受信機２２に受光部３３からの指令信号が入力されるように信号経路切換スイッチ３７を駆動し、更に、この状態で、ＣＨ設定対象ユニットのＵＰボタン５４又はＤＯＷＮボタン５５が操作されると、ＣＨ設定対象ユニットの変調器２４に伝送チャンネル変更指令を出力し、変調器２４はこの伝送チャンネル変更指令に応じて生成するテレビ放送信号の伝送チャンネルを切り換える。
【００３３】
また、マイコン３０は、各ユニット（換言すれば各復変調部２０）毎に、ＢＳデジタル受信機２２が選局するテレビ放送信号（ＢＳデジタル放送）のチャンネル、及び、各ユニット内の変調器２４が生成するテレビ放送信号（アナログテレビ放送）のチャンネルをメモリ３１に記憶しており、その記憶した各チャンネルを、入力パネル５０の選局チャンネル表示部５６及び伝送チャンネル表示部５３に表示する。
【００３４】
尚、本実施例では、外部操作により本発明の送信部であるリモコン装置３２から選局チャンネル変更指令を赤外線信号として送信し、その信号を、本発明の受信部である受光部３３で受信して信号経路切換スイッチ３７に入力することにより、信号経路切換スイッチ３７を介して、入力パネル５０の選択スイッチ５１で指定された復変調部２０（つまりＢＳデジタル受信機２２）に選局チャンネル変更指令を入力するが、この指令信号を信号経路切換スイッチ３７に入力するリモコン装置３２及び受光部３３は、本発明の選局チャンネル設定手段に相当する。
【００３５】
以下、入力パネル５０に配置された、いずれかのボタンが押された時にマイコン３０にて実行されるボタン操作受付処理を図３に示すフローチャートに沿って説明する。
まず、Ｓ１１０で、ロックボタン５７のランプへの通電状態を読み取り、Ｓ１２０で、ロックボタン５７が、ランプに通電された「ＯＮ」状態であるかを判定する。ロックボタン５７が「ＯＮ」状態の場合、Ｓ２３０に移行し、「ＯＮ」状態では無い場合、Ｓ１３０へ移行する。
【００３６】
次に、Ｓ１３０では、押されたボタンが選択ボタン５１かを判定し、押されたボタンが選択ボタン５１と判定の場合、Ｓ１４０へ移行し、選択ボタン５１で無いと判定の場合、Ｓ１７０へ移行する。
次に、Ｓ１４０では、押された選択ボタン５１に対応した復変調部２０を、ＣＨ設定対象ユニットとしてメモリ３１に記憶する。その後、Ｓ１５０で、ＣＨ設定対象ユニットの選択ランプ５２のＬＥＤを点灯させるとともに、信号経路切換スイッチ３７で、ＣＨ設定対象ユニットの復変調部２０を選択する。また、ＣＨ設定対象ユニット以外の選択ランプ５２のＬＥＤは消灯し、信号経路切換スイッチ３７もＣＨ設定対象ユニット以外の復変調部２０は選択しない状態として本処理を終了する。
【００３７】
次に、Ｓ１７０では、押されたボタンが、伝送チャンネルの変更指令入力であるＵＰボタン５４若しくはＤＯＷＮボタン５５かを判定し、伝送チャンネルの変更指令入力と判定の場合、Ｓ１８０へ移行し、伝送チャンネルの変更指令入力では無いと判定の場合、Ｓ２００へ移行する。
【００３８】
Ｓ１８０では、押されたボタンに対応するＣＨ設定対象ユニットの変調器２４に対し、現在送信中の伝送チャンネルから、ＵＰボタン５４が押された場合は「＋１」若しくはＤＯＷＮボタン５５が押された場合は「−１」変化させた伝送チャンネルに変更するよう伝送チャンネル変更指令を出力する。その後、Ｓ１９０で、ＣＨ設定対象ユニットの伝送チャンネル表示部５３の表示をＳ１８０で変更したチャンネルに更新して本処理を終了する。
【００３９】
次に、Ｓ２００では、押されたボタンが、ロックボタン５７かを判定し、ロックボタン５７と判定された場合、Ｓ２１０へ移行し、入力エラー状態などでロックボタン５７でも無いと判定された場合、そのまま本処理を終了する。
次に、Ｓ２１０では、全てのユニットの選択ランプ５２のＬＥＤを消灯すると共に、信号経路切換スイッチ３７をいずれの復変調器２０も選択しない状態にし、Ｓ２２０で、ロックボタン５７のランプに通電し点灯させ、本処理を終了する。
【００４０】
次に、Ｓ２３０では、押されたボタンが、ロックボタン５７かを判定し、ロックボタン５７と判定の場合、Ｓ２４０で、ロックボタン５７のランプへの通電を停止してランプを消灯させて本処理を終了する。そして、押されたボタンがロックボタン５７では無いと判定の場合、そのまま本処理を終了する。
【００４１】
以上説明したように、本実施例のＣＡＴＶシステムにおいては、ヘッドエンド装置１０に設けられたユニット１〜ユニットｎからなるｎ個の復変調部２０にて、ＢＳデジタル放送で提供される各放送チャンネルのデジタルテレビ放送信号を一旦復調し、その復調により得られた映像及び音声信号を、地上波のテレビ放送信号と同じＮＴＳＣ方式で所定伝送チャンネルのアナログテレビ放送信号に変換して、伝送線Ｌ上に送出するようにされている。このため、ＣＡＴＶシステムの加入者は、地上波のテレビ放送を受信可能なテレビ受像機を用いて、ＢＳデジタル放送を視聴できる。
【００４２】
また、ロックボタン５７を押して「ＯＮ」状態としておくと、チャンネルロック手段としてのマイコン３０が、信号経路切換スイッチ３７がいずれの復変調器２０も選択しない状態にするため、リモコン装置３２からの指令は復変調器２０には届かず無効となり、マイコン３０では、入力パネル５０のロックボタン５７の操作に対する処理しか実行されなくなるため、ＵＰボタン５４及びＤＯＷＮボタン５５のボタン操作も無効となり、誤操作による誤動作を防ぐことができる。
そして、システムを変更してのセットアップの場合や、メンテナンスなどで一旦テストパターンを表示する場合など選局及び伝送チャンネルの変更が必要な場合に、再度ロックボタン５７を押し「ＯＦＦ」状態とすることにより、選択ボタン５１の選択が可能となり、リモコン装置３２によりＢＳデジタル受信機２２の選局チャンネルを変更でき、ＵＰボタン５４及びＤＯＷＮボタン５５での伝送チャンネルの変更もできる。
【００４３】
尚、リモコン装置３２からの指令の無効化と、伝送チャンネルの変更のＵＰボタン５４及びＤＯＷＮボタン５５の操作の無効化がロックボタン５７一つで実行されるため、操作が単純で、機構の簡単な装置とできる。
以上、本発明の一実施例について説明したが、本発明は上記実施例に限定されるものではなく、種々の態様をとることができる。
【００４４】
例えば、上記実施例では、ＢＳデジタル受信機２２はＢＳデジタル放送の受信を行うものとして説明したが、ＢＳアナログ放送や、その他の衛星放送、将来運用される地上波デジタル放送などを受信するための受信機を用いたものであっても良い。
【００４５】
また、上記実施例では、信号経路切換スイッチ３７のスイッチのオン・オフを、マイコン３０により制御するもので説明しているが、他の方法でも良く、例えば、選択ボタン５１とロックボタン５７とを、開・閉の状態を機械的に保持し、一連の選択ボタン５１とロックボタン５７とが排他的に閉になる機械的なスイッチとし、信号経路切換スイッチ３７の変わりに選択ボタン５１を介して受光部３３からの信号が、受信機２２に伝達されるものであってもよい。
【００４６】
また、上記実施例では、選択ボタン５１及びロックボタン５７の操作によりマイコン３０に対し、信号経路切換スイッチ３７の切り替えを指示しているが、操作性を上げるために、復変調部の選択及びロックの指令を出力できる専用設計のリモコン装置３２とし、リモコン装置３２の出力がマイコン３０にも入るようにして、リモコン装置３２上のボタンにより信号経路切換スイッチ３７の切り替えを指示出来るようにしたものであっても良い。
【図面の簡単な説明】
【図１】実施例の全体構成を表す図である。
【図２】実施例の入力パネル５０を説明する図である。
【図３】実施例のマイコン３０での入力パネル５０のボタンが押された場合の処理手順を表すフローチャート図である。
【符号の説明】
２…ＶＨＦアンテナ、４…ＵＨＦアンテナ、６…ＣＳアンテナ、８…ＢＳアンテナ、１０…ヘッドエンド装置、１１…分配器、１２…送出装置、１４…増幅器、１６…分岐器、２０…復変調部、２２…ＢＳデジタル受信機、２４…変調器、３０…マイコン、３２…リモートコントロール装置、３３…受光部、３７…信号経路切換スイッチ、５０…入力パネル、５１…選択ボタン、５２…選択ランプ、５３…伝送チャンネル表示器、５４…ＵＰボタン、５５…ＤＯＷＮボタン、５６…選局チャンネル表示器、５７…ロックボタン、Ｌ…伝送線。
【図１】
0004541636.tif 000002
【図２】
0004541636.tif 000003
【図３】
0004541636.tif 000004